(57)【特許請求の範囲】
【請求項１】
水平回転自在に支持された回転体と、
前記回転体を水平回転自在に支持する支持手段と、
前記回転体を水平回転させる回転駆動手段とを備え、
前記回転体が、
回転円板と、
当該回転円板の下面中心部から下方に垂設された管状の中心軸とを備え、
前記支持手段が、
設置面に配設される支持基体と、
前記支持基体の中心部に固設された矩形フレームと、
前記矩形フレームの内周面に配設され、前記回転円板に垂設された管状の中心軸の外周面に当接する第１支持ローラと、
前記矩形フレームの外周面に配設され、前記回転円板の下面に当接する第２支持ローラとを備え、
前記回転駆動手段が、前記回転円板の下面に当接し、当該回転円板に回転動力を伝達する駆動ローラを備え、
前記回転体の少なくとも上面を覆い、且つ前記回転体との間に閉塞空間を形成するよう
に弛みをもって前記回転体に係着されたシート体と、
前記回転体とシート体との間の前記閉塞空間内に外気を送入する気体送入手段とを備え
て構成され、
前記気体送入手段によって前記閉塞空間内に外気を送入することにより、前記閉塞空間
が膨張して、前記シート体が外側に緊張状態で膨出するように構成されてなることを特徴とする遊戯装置。
【発明の詳細な説明】
【技術分野】
【０００１】
本発明は、遊園地やデパート，スーパーマーケットなどの遊戯コーナーに設置可能な遊戯装置に関する。
【背景技術】
【０００２】
出願人は、上述の遊園地やデパート，スーパーマーケットなどの遊戯コーナーに設置可能な遊戯装置として、既に、特開平２００４−２７５３４５号公報，特開平２００４−２７５４９２号公報，特開平２００５−１３１２０７号公報に開示されるような遊戯装置を提案している。
【０００３】
これらの遊戯装置は、いずれも、製造コストが安価で、設置スペースが小さく、しかも幼児が気軽に利用することができるという利点を有する。
【０００４】
【特許文献１】特開平２００４−２７５３４５号公報
【特許文献２】特開平２００４−２７５４９２号公報
【特許文献３】特開平２００５−１３１２０７号公報
【発明の開示】
【発明が解決しようとする課題】
【０００５】
上述したように、出願人は、既に、幼児層に向けた種々の遊戯装置を提案している。しかしながら、それでも尚、自我形成の初期段階にあり、あらゆる事象に興味を示す幼児層に対して、従来、十分な種類の遊戯装置が提供されているとは言い難い状況にある。
【０００６】
本発明は、このような実情に鑑み、幼児向けに提供される遊戯装置の多様化を図るべくなされたものであって、製造コストが安価で、設置スペースが小さく、しかも幼児が気軽に利用することができる遊戯装置の提供をその目的とする。
【課題を解決するための手段】
【０００７】
上記課題を解決するための本発明は、
水平回転自在に支持された回転体と、
前記回転体を水平回転自在に支持する支持手段と、
前記回転体を水平回転させる回転駆動手段とを備え、
前記回転体が、
回転円板と、
当該回転円板の下面中心部から下方に垂設された管状の中心軸とを備え、
前記支持手段が、
設置面に配設される支持基体と、
前記支持基体の中心部に固設された矩形フレームと、
前記矩形フレームの内周面に配設され、前記回転円板に垂設された管状の中心軸の外周面に当接する第１支持ローラと、
前記矩形フレームの外周面に配設され、前記回転円板の下面に当接する第２支持ローラとを備え、
前記回転駆動手段が、前記回転円板の下面に当接し、当該回転円板に回転動力を伝達する駆動ローラを備え、
前記回転体の少なくとも上面を覆い、且つ前記回転体との間に閉塞空間を形成するよう
に弛みをもって前記回転体に係着されたシート体と、
前記回転体とシート体との間の前記閉塞空間内に外気を送入する気体送入手段とを備え
て構成され、
前記気体送入手段によって前記閉塞空間内に外気を送入することにより、前記閉塞空間
が膨張して、前記シート体が外側に緊張状態で膨出するように構成されてなることを特徴とする遊戯装置に係る。
【０００８】
この遊戯装置によれば、まず、気体送入手段によって、シート体と回転体との間に形成された閉塞空間内に外気を送入する。これにより、前記閉塞空間内の圧力が増加して、弛みをもって回転体に係着された前記シート体が外側に膨出し緊張した状態となる。
【０００９】
そして、このようにしてシート体が外側に膨出した状態で、前記回転体が回転駆動手段によって駆動され、水平回転する。
【００１０】
外気が送入され、外側に膨出したシート体の当該膨出部は、内部の空気圧によりエアマットのような弾性を有することになる。斯くして、遊戯者は、このような弾性を有するシート体の膨出部に乗り上がることで、ふわふわとした浮遊感を味わうことができ、また、水平回転することで、かかる浮遊感に、回転移動に伴う感覚の合わさった従来に無い感覚を味わうことができる。
【００１１】
尚、前記シート体には、天然樹脂や合成樹脂から構成された通気性を有しないシート状のものの他、各種繊維から構成された織編物からなり、通気性を有するものの、気体送入手段から継続的に外気が送入されることによって前記閉塞空間内の内圧が高まり、自体外側に緊張状態で膨出した形状を維持することができるものも含まれる。
【発明の効果】
【００１２】
以上説明したように、本発明によれば、外気を送入することで、シート体が外側に膨出して弾性を有する状態となるので、遊戯者は、このような弾性を有する膨出部に乗り上がることで、ふわふわとした浮遊感を味わうことができ、また、このような浮遊感と、回転移動に伴う感覚とが合わさった従来に無い感覚を味わうことができる。
【００１３】
また、上記構成の遊戯装置は、その製造コストが安価で、設置スペースが小さくて足り、しかも幼児が気軽に利用することができるという利点を有する。
【発明を実施するための最良の形態】
【００１４】
以下、本発明の具体的な実施形態に係る遊戯装置を、図面に基づいて説明する。図１は、本実施形態に係る遊戯装置を示した正面図であり、図２は、その平面図である。また、図３は、図２における矢視Ｉ−Ｉ方向の断面図であり、図４は、本実施形態に係る回転支持機構及び回転駆動機構を示した平面図である。
【００１５】
図１及び図２に示すように、本例の遊戯装置１は、帽子状をした外観を備えており、その具体的な構造は、図３及び図４に示すように、水平回転自在に支持された回転体２と、この回転体２を水平回転自在に支持する支持機構１０と、回転体２を水平回転させる回転駆動機構２０と、回転体２の上面及び下面周縁部を覆い、且つ回転体２との間に閉塞空間３５，３６を形成するように弛みをもって回転体２に係着されたシート体３０と、回転体２とシート体３０との間の前記閉塞空間３５，３６内に外気を送入する送気機構４０とを備えた構造となっている。
【００１６】
前記回転体２は、回転円板３、及びこの回転円板３の下面中心部から下方に垂設された管状の中心軸４を備え、前記支持機構１０は、適宜設置面Ｇ上に配設される支持基台１１と、この支持基台１１上の中心部に固設された矩形フレーム１２と、この矩形フレーム１２を挟みその両側に配設された十字フレーム１６と、前記矩形フレーム１２の内周面に配設された第１支持ローラ１３と、同矩形フレーム１２の外周面に配設された第２支持ローラ１４と、十字フレーム１６上に設けられた第３支持ローラ１７とを備える。
【００１７】
前記第１支持ローラ１３は、矩形フレーム１２の４つの内面に各々配設され、その各ローラが前記中心軸４の外周面に当接して、その水平方向の移動を制動する。また、前記第２支持ローラ１４は、矩形フレーム１２の４つの外面の両側縁部に、各々同一のピッチ円上に位置するように配設され、また、第３支持ローラ１７は、十字フレーム１６上の各端部に、各々同一のピッチ円上に位置するように配設され、これら第２支持ローラ１４及び第３支持ローラ１７を構成する各ローラが前記回転円板３の下面に当接して、これを水平回転自在に支持する。斯くして、回転体２は、これら第１支持ローラ１３，第２支持ローラ１４及び第３支持ローラ１７によって、中心軸４の軸中心に水平回転自在となっている。
【００１８】
前記回転駆動機構２０は、前記回転円板３の下面に当接して、当該回転円板３に回転動力を伝達する駆動ローラ２２と、この駆動ローラ２２に回転動力を付与する駆動モータ２１とからなり、前記支持基台１１上であって、前記矩形フレーム１２を挟んだその両側にそれぞれ配設される。尚、本例では、駆動ローラ２２は、前記第３支持ローラ１７と同一のピッチ円上に配設されている。斯くして、前記支持機構１０によって水平回転自在に支持された回転体２は、この回転駆動機構２０によって駆動されることにより、水平回転する。
【００１９】
前記シート体３０は、膨張，緊張時の上部形状が半球状で、下部形状が略円柱状をした第１シート体３１と、この第１シート体３１の前記円柱形状部外周に接続され、膨張，緊張時の断面形状が管状であり且つ平面形状が環状である第２シート体３２とから構成される。
【００２０】
前記第１シート体３１は、膨張，緊張時に上記形状となるように、その下縁部が前記回転円板３上に係着されており、この第１シート体３１及び回転円板３によって閉塞空間３５が形成されている。また、前記第２シート体３２は、膨張，緊張時に上記形状となるように、環状上縁部が前記第１シート体３１の円柱形状部の上縁部に固着され、且つ環状下縁部が前記回転円板３の下面周縁部に係着されており、この第２シート体３２，第１シート体３１及び回転円板３によって閉塞空間３６が形成されている。尚、言うまでもなく、第１シート体３１及び第２シート体３２は、閉塞空間３５，３６に外気が送気されない状態では、弛みを持った状態で前記回転円板３に係着されている。
【００２１】
また、第１シート体３１の円柱形状部には、その周面の全域にわたって一様に、若しくは部分的に通気孔３３が形成されており、この通気孔３３を介して、前記閉塞空間３５と閉塞空間３６とが連通した状態となっている。
【００２２】
前記送気機構４０は、前記中心軸４を貫通した状態で支持基台１１上に立設された支持ポスト４２と、この支持ポスト４２によってその上端部に支持されたブロア４１と、同じく前記支持ポスト４２によって貫通された状態で前記ブロア４１の下面から垂設され、その下端部が遊嵌状態で前記中心軸４に挿入された管状のシール部材４３とからなる。ブロア４１の下面の、前記シール部材４３によって囲まれた領域には、吸気口４１ａが形成され、側面には送気口４１ｂが形成されており、このブロア４１が作動すると、吸気口４１ａからブロア４１内部に外気が吸気され、所定圧力の空気となって送気口４１ｂから閉塞空間３５内に送気される。尚、ブロア４１には、前記管状の中心軸４及びシール部材４３内を通して電力が供給される。
【００２３】
また、図１乃至図３中の符号５０は、本例の遊戯装置１の外観形状を帽子状に形成するために、第１シート体３１の頂部に設けた球状の装飾体５０であって、スポンジ体やゴムボール，ビニールボールといった弾性体から構成することができ、或はこれらを適宜シート体で被覆したものとしても良い。
【００２４】
以上の構成を備えた本例の遊戯装置１によれば、まず、ブロア４１を作動させて、所定圧力に高められた外気を閉塞空間３５内に送入する。ブロア４１によって送入された外気は、前記閉塞空間３５内に充満するとともに、前記通気孔３３から閉塞空間３６内に流入して、当該閉塞空間３６内にも充満する。
【００２５】
そして、ブロア４１によって閉塞空間３５，３６内に外気が送入されると、当該閉塞空間３５，３６内の圧力が増加して、前記第１シート体３１及び第２シート体３２がそれぞれ外側に膨出して緊張した状態となり、図１乃至図３に示した帽子状の形状となる。また、外側に膨出した第１シート体３１及び第２シート体３２は、内部空気圧によりエアマットのような弾性を備えた状態となる。尚、遊嵌状態で中心軸４に挿入されたシール部材４３の外周面と当該中心軸４の内周面との間には隙間があるが、この隙間はごく僅かであって、この隙間から閉塞空間３５内の空気が漏れ出るものの、前記閉塞空間３５，３６内の圧力を高めるのには支障が無い程度の隙間となっている。
【００２６】
次に、上記のようにして第１シート体３１及び第２シート体３２がそれぞれ外側に膨出した状態で、回転体２を回転駆動機構２０により駆動して、当該回転体２を第１シート体３１及び第２シート体３２と共に水平回転させる。
【００２７】
斯くして、遊戯者は、上記のように弾性を備えた第１シート体３１及び第２シート体３２上に乗り上がることで、ふわふわとした浮遊感を味わうことができ、また、水平回転により、かかる浮遊感に、回転移動に伴う感覚の合わさった従来に無い感覚を味わうことができる。
【００２８】
また、第１シート体３１の周りに環状の第２シート体３２を設けているので、この第２シート３２によって遊戯者が支えられ、下方に落下し難くなっている。
【００２９】
また、上記のように構成された本例の遊戯装置１は、その製造コストが安価で、設置スペースが小さくて足り、しかも幼児が気軽に利用することができるという利点がある。
【００３０】
尚、前記第１シート体３１及び第２シート体３２には、天然樹脂や合成樹脂から構成された通気性を有しないシート状のもの他、各種繊維から構成された織編物からなり、通気性を有するものの、送気機構４０によって継続的に外気が送入されることにより、前記閉塞空間３５，３６内の内圧が高まり、自体外側に緊張状態で膨出した形状を維持することができるものも含まれる。
【００３１】
以上、本発明の一実施形態について説明したが、本発明の採り得る具体的な態様は、何らこれに限定されるものではない。
【００３２】
例えば、上例ではシート体３０を第１シート体３１及び第２シート体３２の２部材から構成したが、１つの部材から構成しても、或は３つ以上の部材から構成してもいずれでも良い。また、その全体形状も上例のものに限られるものではない。
【００３３】
また、上例において、送気機構４０を閉塞空間３５内に配置したが、これに限るものではなく、閉塞空間３６内に配置しても良い。
【００３４】
また、前記第１シート体３１及び第２シート体３２を、透光性を有する部材から構成するとともに、前記閉塞空間３５及び／又は閉塞空間３６内に、照明装置を配設してもよく、この場合には、照明装置から照射された光が第１シート体３１及び第２シート体３２を透過して外部に漏れ出るため、この照明によって遊戯装置１の装飾的効果が高められる。
【産業上の利用可能性】
【００３５】
本発明に係る遊戯装置は、遊園地やデパート，スーパーマーケットなどの遊戯コーナーに設置可能な遊戯装置として、好適である。
【図面の簡単な説明】
【００３６】
【図１】本発明の具体的な実施形態に係る遊戯装置を示した正面図である。
【図２】図１に示した遊戯装置の平面図である。
【図３】図２における矢視Ｉ−Ｉ方向の断面図である。
【図４】本実施形態に係る回転支持機構及び回転駆動機構を示した平面図である。
【符号の説明】
【００３７】
１    遊戯装置
２    回転体
１０  支持機構
２０  回転駆動機構
３０  シート体
３５  閉塞空間
３６  閉塞空間
４０  送気機構
【図１】
0004562621.tif 000002
【図２】
0004562621.tif 000003
【図３】
0004562621.tif 000004
【図４】
0004562621.tif 000005